(57)【特許請求の範囲】
【請求項１】
移動通信交換機からの複数チャネルの下り多重ＰＣＭ音声信号の各々を符号化器によって符号化して符号化信号に変換し、前記符号化信号を多重して下り多重符号化信号を生成して基地局へ送信するとともに、前記基地局からの上り多重符号化信号を復号器によって復号化し複数チャネルの上り多重ＰＣＭ音声信号を生成して移動通信交換機へ送信する音声処理装置であって、前記下り多重符号化信号を収容するための複数の第１フレームと同期外れ試験結果を挿入するための第２フレームとを準備する手段と、前記第１フレーム及び前記第２フレームのフレーム番号を指定し、前記複数の第１フレームとデータを含まない空の前記第２フレームとを前記基地局へ送出する送出手段と、スルーモードでの前記符号化信号に対して前記同期外れ試験を実行して第１の同期エラーを検出する前記符号化器と、前記上り多重符号化信号に対して前記同期外れ試験を実行して第２の同期エラーを検出する前記復号器と、前記第１の同期エラー又は前記第２の同期エラーのいずれか一方または両方を検出するとアラーム表示制御情報を発生する同期アラーム表示発生手段とを有し、前記第２フレームの時間位置を検出し前記空の第２フレームに前記アラーム表示制御情報を挿入する試験結果挿入手段と、複数の前記第１フレームと前記試験結果挿入手段により前記アラーム表示制御情報が挿入された前記第２フレームとを前記基地局へ送出する手段を有することを特徴とする音声処理装置。
【請求項２】
前記アラーム表示制御情報の前記第２フレームへの挿入を行うかどうかを選択する選択手段をさらに有し、前記選択手段が挿入を行う旨を選択するとき、前記試験結果挿入手段は前記アラーム表示制御情報を前記第２フレームに挿入することを特徴とする請求項１に記載の音声処理装置。
【請求項３】
移動通信交換機から受信する各々の下り多重ＰＣＭ音声信号を符号化器によって符号化して符号化信号に変換して出力し、スルーモードでは６４ｋｂｐｓデータからプリアンブル信号を検出して、フレーム同期信号を挿入し下りハイウェイインタフェースフォーマットに変換し、プリアンブル同期がとれない場合、第１の同期エラーを通知する複数の符号化器と、基地局からの上り多重符号化信号に含まれるフレーム同期信号を検出できフレーム同期がとれる場合、前記上り多重符号化信号を復号して複数チャネルの上り多重ＰＣＭ音声信号に変換して出力し、前記フレーム同期がとれない場合、第２の同期エラーを通知する複数の復号器と、前記符号化器からのフレーム同期信号を受けてフレーム同期を検出し、前記下り多重符号化信号を収容するための複数の第１フレームのフレーム番号を指定し、同期外れ試験結果を挿入するための第２フレームのフレーム番号を指定し、前記フレーム番号を監視し前記第２のフレーム番号と一致したときに前記第２フレームの時間位置を示す第２フレーム時間位置情報を出力するフレーム同期検出回路と、前記符号化信号を多重して前記下り多重符号化信号を生成し、前記第１フレームのフレーム番号で指定された前記第１フレームに前記下り多重符号化信号を収容し、前記第２フレームのフレーム番号で指定された前記第２フレームにはデータを収容せず、前記複数の第１フレームと前記空の第２フレームとからなるフレーム群信号を出力する符号化信号多重化回路と、外部から入力される所定の信号より、多重化を分離するための選択信号と前記複数の符号化器からの前記フレーム同期信号の各々を選択するためのタイムスロット選択信号を生成し、前記選択信号を前記符号化器と前記復号器へ、前記タイムスロット選択信号を前記フレーム同期検出回路へ送るとともに、前記第１の同期エラーと前記第２の同期エラーのいずれか一方又は両方の通知を受けて同期アラーム表示信号を出力する制御部と、前記同期アラーム表示信号を受けて同期アラームを表示する表示部とを有し、前記同期外れ試験結果を前記空の第２フレームに選択して挿入するための試験選択スイッチと、前記選択スイッチが解放されることで前記制御部からの前記同期アラーム表示信号を取り込み出力するＮＡＮＤ回路と、前記ＮＡＮＤ回路からの前記同期アラーム表示信号と、前記フレーム同期検出回路からの前記第２フレーム時間位置情報とを入力して、前記第２フレーム時間位置に前記同期アラーム表示信号を出力するＯＲ回路と、前記同期アラーム表示信号と前記フレーム群信号とを入力し、前記第２フレームの時間位置に前記同期アラーム表示信号を挿入し、前記同期アラーム表示信号が挿入された前記フレーム群信号を合成して前記基地局へ出力するＡＮＤ回路とを備える試験結果選択出力装置を有することを特徴とする音声処理装置。
【請求項４】
移動通信交換機からの複数チャネルの下り多重ＰＣＭ音声信号の各々を符号化器によって符号化して符号化信号に変換し、前記符号化信号を多重して下り多重符号化信号を生成して基地局へ送信するとともに、前記基地局からの上り多重符号化信号を復号化し複数チャネルの上り多重ＰＣＭ音声信号を生成して前記移動通信交換機へ送信する音声処理装置の制御方法であって、前記下り多重符号化信号を収容するための複数の第１フレームと、同期外れ試験結果を挿入するための第２フレームとを準備するステップと、前記第１フレーム及び前記第２フレームのフレーム番号を指定するステップと、前記複数の第１フレームとデータを含まない空の前記第２フレームとを前記基地局へ送出する送出ステップと、前記符号化信号に対して前記同期外れ試験を実行して第１の同期エラーを検出するステップと、前記上り多重符号化信号に対して前記同期外れ試験を実行して第２の同期エラーを検出するステップと、前記第１の同期エラー又は前記第２の同期エラーのいずれか一方または両方を検出するとアラーム表示制御情報を発生する同期アラーム表示発生ステップとを有し、前記アラーム表示制御情報と前記空の第２フレームを受信し、前記第２フレームの時間位置を検出して前記空の第２フレームに前記アラーム表示制御情報を挿入する試験結果挿入ステップと、前記複数の第１フレームと前記アラーム表示制御情報が挿入された前記第２フレームとを前記基地局へ送出するステップとを有することを特徴とする音声処理装置の制御方法。
【請求項５】
前記アラーム表示制御情報の前記第２フレームへの挿入を行うかどうかを選択する選択ステップをさらに有し、前記選択ステップにより前記アラーム表示制御情報の挿入を行う旨が選択されるとき、前記試験結果挿入ステップは前記アラーム表示制御情報を前記第２フレームに挿入することを特徴とする請求項４に記載の音声処理装置の制御方法。
【発明の詳細な説明】
【０００１】
【発明の属する技術分野】
本発明は、音声処理装置の自動試験に関する。
【０００２】
【従来の技術】
従来、移動通信交換システムに配備され、無線基地局と音声信号のやり取りをする音声処理装置を評価する試験システムは、図５に示すように、パーソナルコンピュータ（以下ＰＣ）９０と試験機９１と音声処理装置９２を接続して構成され、ＰＣ９０からの試験モードの設定により試験が行われる。
【０００３】
ＰＣ９０は、初期設定後、試験のため、下り多重ＰＣＭ音声信号と上り多重音声符号化信号を送信し、下り多重音声符号化と上り多重ＰＣＭ音声信号を受信し、期待値データとの照合で音声処理装置９２の処理内容の良否を判定する。図５において、右向きの矢印は下り多重ＰＣＭ音声信号と上り多重符号化信号を、左向きの矢印は上り多重ＰＣＭ音声信号と下り多重符号化信号を、両方向の矢印は試験機９１との制御信号を示す。
【０００４】
【発明が解決しようとする課題】
このような従来の試験システムは、複数チャネルの組み合わせによる各種パターンによる試験を実行するため、複数処理を自動化して試験が実施されるよう構成されているが、同期外れ試験に関しては、音声処理装置２００に設置されている、同期外れを表示するＬＥＤがあり、ＬＥＤ点灯表示の確認は目視で確認をしている。従って、無人試験でなく、人間が介在するため、効率が悪くなると共に、同期外れの表示を見落とす恐れがあり試験の品質がよくないという課題を有する。
【０００５】
本発明の目的は、従来のこの様な課題を解決し、アラーム表示制御情報を、音声処理データに付加することで、全ての試験結果の評価を、人間が介在することなく、無人で試験を実行する技術を提供することにある。
【０００６】
【課題を解決するための手段】
本発明の音声処理装置は、移動通信交換機からの複数チャネルの下り多重ＰＣＭ音声信号の各々を符号化器によって符号化して符号化信号に変換し、前記符号化信号を多重して下り多重符号化信号を生成して基地局へ送信するとともに、前記基地局からの上り多重符号化信号を復号器によって復号化し複数チャネルの上り多重ＰＣＭ音声信号を生成して移動通信交換機へ送信する音声処理装置であって、前記下り多重符号化信号を収容するための複数の第１フレームと同期外れ試験結果を挿入するための第２フレームとを準備する手段と、前記第１フレーム及び前記第２フレームのフレーム番号を指定し、前記複数の第１フレームとデータを含まない空の前記第２フレームとを前記基地局へ送出する送出手段と、スルーモードでの前記符号化信号に対して前記同期外れ試験を実行して第１の同期エラーを検出する前記符号化器と、前記上り多重符号化信号に対して前記同期外れ試験を実行して第２の同期エラーを検出する前記復号器と、前記第１の同期エラー又は前記第２の同期エラーのいずれか一方または両方を検出するとアラーム表示制御情報を発生する同期アラーム表示発生手段とを有し、前記第２フレームの時間位置を検出し前記空の第２フレームに前記アラーム表示制御情報を挿入する試験結果挿入手段と、複数の前記第１フレームと前記試験結果挿入手段により前記アラーム表示制御情報が挿入された前記第２フレームとを前記基地局へ送出する手段を有することを特徴とする。
【０００７】
また、本発明の音声処理装置は、前記アラーム表示制御情報の前記第２フレームへの挿入を行うかどうかを選択する選択手段をさらに有し、前記選択手段が挿入を行う旨を選択するとき、前記試験結果挿入手段は前記アラーム表示制御情報を前記第２フレームに挿入することを特徴とする。
【０００９】
また、本発明の音声処理装置は、移動通信交換機から受信する各々の下り多重ＰＣＭ音声信号を符号化器によって符号化して符号化信号に変換して出力し、スルーモードでは６４ｋｂｐｓデータからプリアンブル信号を検出して、フレーム同期信号を挿入し下りハイウェイインタフェースフォーマットに変換し、プリアンブル同期がとれない場合、第１の同期エラーを通知する複数の符号化器と、基地局からの上り多重符号化信号に含まれるフレーム同期信号を検出できフレーム同期がとれる場合、前記上り多重符号化信号を復号して複数チャネルの上り多重ＰＣＭ音声信号に変換して出力し、前記フレーム同期がとれない場合、第２の同期エラーを通知する複数の復号器と、前記符号化器からのフレーム同期信号を受けてフレーム同期を検出し、前記下り多重符号化信号を収容するための複数の第１フレームのフレーム番号を指定し、同期外れ試験結果を挿入するための第２フレームのフレーム番号を指定し、前記フレーム番号を監視し前記第２のフレーム番号と一致したときに前記第２フレームの時間位置を示す第２フレーム時間位置情報を出力するフレーム同期検出回路と、前記符号化信号を多重して前記下り多重符号化信号を生成し、前記第１フレームのフレーム番号で指定された前記第１フレームに前記下り多重符号化信号を収容し、前記第２フレームのフレーム番号で指定された前記第２フレームにはデータを収容せず、前記複数の第１フレームと前記空の第２フレームとからなるフレーム群信号を出力する符号化信号多重化回路と、外部から入力される所定の信号より、多重化を分離するための選択信号と前記複数の符号化器からの前記フレーム同期信号の各々を選択するためのタイムスロット選択信号を生成し、前記選択信号を前記符号化器と前記復号器へ、前記タイムスロット選択信号を前記フレーム同期検出回路へ送るとともに、前記第１の同期エラーと前記第２の同期エラーのいずれか一方又は両方の通知を受けて同期アラーム表示信号を出力する制御部と、前記同期アラーム表示信号を受けて同期アラームを表示する表示部とを有し、前記同期外れ試験結果を前記空の第２フレームに選択して挿入するための試験選択スイッチと、前記選択スイッチが解放されることで前記制御部からの前記同期アラーム表示信号を取り込み出力するＮＡＮＤ回路と、前記ＮＡＮＤ回路からの前記同期アラーム表示信号と、前記フレーム同期検出回路からの前記第２フレーム時間位置情報とを入力して、前記第２フレーム時間位置に前記同期アラーム表示信号を出力するＯＲ回路と、前記同期アラーム表示信号と前記フレーム群信号とを入力し、前記第２フレームの時間位置に前記同期アラーム表示信号を挿入し、前記同期アラーム表示信号が挿入された前記フレーム群信号を合成して前記基地局へ出力するＡＮＤ回路とを備える試験結果選択出力装置を有することを特徴とする。
【００１０】
さらに、本発明の音声処理装置の制御方法は、移動通信交換機からの複数チャネルの下り多重ＰＣＭ音声信号の各々を符号化器によって符号化して符号化信号に変換し、前記符号化信号を多重して下り多重符号化信号を生成して基地局へ送信するとともに、前記基地局からの上り多重符号化信号を復号化し複数チャネルの上り多重ＰＣＭ音声信号を生成して前記移動通信交換機へ送信する音声処理装置の制御方法であって、前記下り多重符号化信号を収容するための複数の第１フレームと、同期外れ試験結果を挿入するための第２フレームとを準備するステップと、前記第１フレーム及び前記第２フレームのフレーム番号を指定するステップと、前記複数の第１フレームとデータを含まない空の前記第２フレームとを前記基地局へ送出する送出ステップと、前記符号化信号に対して前記同期外れ試験を実行して第１の同期エラーを検出するステップと、前記上り多重符号化信号に対して前記同期外れ試験を実行して第２の同期エラーを検出するステップと、前記第１の同期エラー又は前記第２の同期エラーのいずれか一方または両方を検出するとアラーム表示制御情報を発生する同期アラーム表示発生ステップとを有し、前記アラーム表示制御情報と前記空の第２フレームを受信し、前記第２フレームの時間位置を検出して前記空の第２フレームに前記アラーム表示制御情報を挿入する試験結果挿入ステップと、前記複数の第１フレームと前記アラーム表示制御情報が挿入された前記第２フレームとを前記基地局へ送出するステップとを有することを特徴とする。
【００１１】
また、本発明の音声処理装置の制御方法は、前記アラーム表示制御情報の前記第２フレームへの挿入を行うかどうかを選択する選択ステップをさらに有し、前記選択ステップにより前記アラーム表示制御情報の挿入を行う旨が選択されるとき、前記試験結果挿入ステップは前記アラーム表示制御情報を前記第２フレームに挿入することを特徴とする。
【００１３】
【発明の実施の形態】
次に、本発明の実施の形態について図面を参照して詳細に説明する。
【００１４】
図１は、本発明の実施形態による音声処理装置の構成ブロック図である。
【００１５】
図１を参照して、本発明の音声処理装置は、試験機３００により制御情報が設定される音声処理装置２００で、音声処理装置２００の試験結果を選択して出力する試験結果選択出力装置１００を有して構成される。音声処理装置２００は、移動携帯端末を収容する無線基地局を制御する移動通信交換システムに配備され、無線基地局と音声信号のやり取りをするものである。
【００１６】
試験機３００は、試験のための制御情報を音声処理装置２００と送受するよう構成される。
【００１７】
音声処理装置２００は、複数の符号化器１−１、〜、１−ｎと、複数の復号器２−１、〜、２−ｎと、制御部３と、フレーム同期信号検出回路４と、フレームカウンタ５と、ＣＯＤ（符号化）信号多重化回路６と、同期アラームＬＥＤ（Ｌｉｇｈｔ  Ｅｍｉｔｔｉｎｇ  Ｄｉｏｄｅ）７と、プルアップ抵抗Ｒ１（１６）と、下りタイミング変換回路８と、上りタイミング変換回路９と、試験インタフェース部１０とを有して構成される。
【００１８】
下りタイミング変換回路８は、下り多重ＰＣＭ音声信号を移動通信交換機から受信して、この下り多重ＰＣＭ音声信号から必要タイムスロットのＰＣＭ音声信号を選択し該当ＰＣＭ音声信号を該当符号化器１に送る。
【００１９】
符号化器１−１、〜、１−ｎの各々は、制御部３から指示されるタイミングにより、下りタイミング変換回路８から受信するＰＣＭ音声信号を、ＶＳＥＬＰ（ベクトル和励振線形予測）やＡＣＥＬＰ（代数的励振線形予測）により高能率符号化信号に変換し、無線基地局と信号をやり取りするために規定されているハイウェイインタフェースフォーマットで、この高能率符号化信号をフォーマット化し、このフォーマット化された高能率符号化信号をＣＯＤ信号多重化回路６へ送る。
【００２０】
ＣＯＤ信号多重化回路６は、フレーム同期信号検出回路４からの出力に同期して、符号化器１−１、〜、１−ｎの各々からの高能率符号化信号を多重して多重符号化信号を生成し、この多重符号化信号を試験結果選択出力装置１００へ送る。
【００２１】
復号器２−１、〜、２−ｎの各々は、無線基地局からの、ハイウェイインタフェースフォーマットでフォーマット化された上り多重符号化信号を受けて、同期をとり、このフォーマットから高能率符号化信号を取り出し、そして、この高能率符号化信号をＰＣＭ音声信号に復号し、上りタイミング変換回路９へ送る。
【００２２】
上りタイミング変換回路９は、復号器２−１、〜、２−ｎの各々からのＰＣＭ音声信号を必要なタイムスロットに選択出力して多重し多重ＰＣＭ音声信号として移動通信交換機に出力する。
【００２３】
試験インタフェース部１０は、試験機３００と制御部３間でやり取りする試験のための制御情報をインタフェースする。
【００２４】
制御部３は、ハイウェイクロックＨＷＣＬＫとフレームパルスＦＬＣＬＫとタイムスロット（ＴＳ）位置情報より、チャネルを選択するための必要タイムスロット選択情報ＣＯＤＬＤと選択信号を生成し、必要タイムスロット選択情報ＣＯＤＬＤをフレーム同期信号検出回路４へ送り、そして、選択信号を符号化器１−１、〜、１−ｎと復号化器２−１、〜、２−ｎに送る。そして、制御部３は、同期アラーム信号を検出して、ＳＹＡＡＬ（同期アラーム表示通知）信号をＬｏｗ（ロー）レベルにして同期アラーム表示ＬＥＤ７と、試験結果選択出力装置１００へ送る。
【００２５】
プルアップ抵抗Ｒ１（１６）により電源ＶＤＤに接続されている同期アラーム表示ＬＥＤ７は、Ｌｏｗ（ロー）レベルのＳＹＡＡＬ信号を受けると、点灯して同期アラームを表示する。
【００２６】
フレーム同期信号検出部４は、制御部３からの必要タイムスロット選択情報ＣＯＤＬＤに基づいて、符号化器１−１、〜、１−ｎの各々からフレーム同期信号を取り込み、フレーム同期信号が（２／３）＊ｎ個以上同一の位置にある場合同期フレームと判定して同期を検出し同期確立をし、そして、フレームカウンタ５を初期化する初期化信号ＦＣＲＳＩＮをフレームカウンタ５へ送る。また、フレーム同期信号検出部４は、ＣＯＤ信号多重化回路６へ、多重のためのタイミングを送る。
【００２７】
フレームカウンタ５は、フレーム同期信号検出部４からの初期化信号ＦＣＲＳＩＮにより初期化され、フレームの計数を開始し、下り多重符号化信号を収容する為の信号チャネルフレームのフレーム番号（フレームカウンタ５の計数値ＦＣＭＮ）をフレーム同期信号検出部４へ通知するととともに、アラーム表示制御情報を収容する為の空きフレームの時間的位置を示す空きフレーム時間位置信号ＦＣＮ１５９を生成し、この空きフレーム時間位置信号ＦＣＮ１５９を試験結果選択出力装置１００へ送る。
【００２８】
試験結果選択出力装置１００は、試験選択スイッチ１１と、ＮＡＮＤ回路１２と、ＯＲ回路１３と、ＡＮＤ回路１４と、インバータ１５と、プルアップ抵抗Ｒ２（１７）と有して構成され、試験選択スイッチ１１により選択された場合には、アラーム表示制御情報を前記空フレームに挿入して下り多重符号化信号として出力する。
【００２９】
次に、本発明の実施形態の動作について図面を参照して詳細に説明する。
【００３０】
図２は、１２チャネル多重符号化信号のフレーム構成を示す図で、図３は、１２チャネル多重符号化信号のフレーム構成の詳細図で、図４は、試験結果選択出力装置の論理波形図である。
【００３１】
図１と図２と図３と図４を参照して動作を説明する。
【００３２】
まず、音声処理装置２００の基本動作を説明する。
【００３３】
下りタイミング変換回路８は、下り多重ＰＣＭ音声信号を受けると、下り多重ＰＣＭ音声信号から複数チャネルの６４ｋｂｐｓＰＣＭ音声信号を抽出し、各チャネルの６４ｋｂｐｓＰＣＭ音声信号を符号化器１−１、〜、１−ｎにいずれかに送る。
【００３４】
符号化器１−１、〜、１−ｎの各々は、下りタイミング変換回路８から該当６４ｋｂｐｓＰＣＭ音声信号を受信すると、制御部３から指示されるタイミングにより、受信した６４ｋｂｐｓＰＣＭ音声信号を、復号器２から制御部３経由で指定された符号化規則により、すなわち、ＶＳＥＬＰ（ベクトル和励振線形予測）またはＡＣＥＬＰ（代数的励振線形予測）により、高能率符号化信号に変換し、無線基地局と信号をやり取りするために規定されているハイウェイインタフェースフォーマットで、この高能率符号化信号をフォーマット化し、このフォーマット化された高能率符号化信号をＣＯＤ信号多重化回路６へ送る。
【００３５】
ＣＯＤ信号多重化回路６は、フレーム同期信号検出回路４からの出力に同期して、符号化器１−１、〜、１−ｎの各々からの高能率符号化信号を多重して多重符号化信号を生成し、この多重符号化信号を、図２と図３に示すようなフレームフォーマットに収容して試験結果選択出力装置１００へ送る。このとき、ＣＯＤ信号多重化回路６は、フレームカウンタ５が計数するフレーム番号に基づいて、チャネルの切り換えを実施し、１２チャネルの多重符号化信号を、３２０個のフレームに順次収める。ここで、フレーム番号１５７、〜、１６０のフレームは予備で、フレーム番号１６０のフレームは、試験結果選択出力装置１００が、試験結果の内容を示すためのビットＳＹＡＬを挿入するためのフレームである。よって、フレームカウンタ５がフレーム番号１６０を指示するとき（このとき、フレームカウンタ５の計数値は１５９である）、ＣＯＤ信号多重化回路６は、フレーム番号１６０のフレームを空きフレームとして出力する。
【００３６】
一方、復号器２−１、〜、２−ｎの各々は、ハイウェイインタフェースフォーマットでフォーマット化され、高能率符号化信号が多重された多重符号化信号を無線基地局から上り多重ＰＣＭ音声信号として受信すると、制御部３からの指示に基づき、まず同期をとり、ハイウェイインタフェースフォーマットから高能率符号化信号を取り出し、そして、この高能率符号化信号を６４ｋｂｐｓＰＣＭ音声信号に復号し、この６４ｋｂｐｓＰＣＭ音声信号を上りタイミング変換回路９へ送る。
【００３７】
上りタイミング変換回路９は、復号器２−１、〜、２−ｎの各々からの６４ｋｂｐｓＰＣＭ音声信号を多重して上り多重ＰＣＭ音声信号を生成し、この上り多重ＰＣＭ音声信号を出力する。
【００３８】
フレームカウンタ５は、フレーム同期信号検出部４からの出力を基準に、常にフレームを計数し、計数値が１５９（フレーム番号１６０）であるときのみ、Ｌｏｗ（ロー）レベルをとる空フレーム時間位置信号ＦＣＮ１５９を試験結果選択出力装置１００のＯＲ回路１３へ送る。
【００３９】
次に、試験動作を説明する。
【００４０】
下り方向の符号化処理においてスルーモードや非音声モードの場合には、符号化器１−１、〜、１−ｎの各々は、６４ｋｂｐｓデータ信号を符号化処理するとき、６４ｋｂｐｓデータ信号からプリアンブル信号を検出する。符号化器１−１、〜、１−ｎは、プリアンブル信号を検出できない時、網側同期エラーと判断して網側同期アラーム信号を制御部３に送る。
【００４１】
制御部３は、符号化器１−１、〜、１−ｎから網側同期アラーム信号を受信すると、同期アラームを通知するためのＳＹＡＡＬ（同期アラーム表示通知）信号の論理レベル値をＬｏｗ（ロー）レベルにし、このＬｏｗ（ロー）レベルのＳＹＡＡＬ信号を同期アラーム表示ＬＥＤ７と、試験結果選択出力装置１００のインバータ１５とへ送る。
【００４２】
プルアップ抵抗Ｒ１（１６）により電源ＶＤＤに接続されているアラーム表示ＬＥＤ７は、Ｌｏｗ（ロー）レベルのＳＹＡＡＬ信号を受けると、点灯して同期エラーを表示する。
【００４３】
一方、無線基地局からの上り方向の復号化処理において、復号器２−１、〜、２−ｎは、上り多重符号化信号の同期が取れない場合、すなわち、図２と図３で示すＭＦ（無線チャネル用フレーム同期）信号とＭＨＦ（無線チャネル用ハーフレート同期）信号との検出ができない場合、上りハイウェイ同期エラーと判断して上りハイウェイ同期アラーム信号を制御部３に送る。
【００４４】
制御部３は、上りハイウェイ同期アラーム信号を受信すると、ＳＹＡＡＬ信号の論理レベル値をＬｏｗ（ロー）レベルにし、このＬｏｗ（ロー）レベルのＳＹＡＡＬ信号を、同期アラーム表示ＬＥＤ７と、試験結果選択出力装置１００のインバータ１５とへ送る。
【００４５】
同期アラームＬＥＤ表示７は、Ｌｏｗ（ロー）レベルのＳＹＡＡＬ信号を受けると、点灯して同期エラーを表示する。
【００４６】
このとき、図４に示すように、試験結果を空フレームに挿入するために、閉成されていた試験選択スイッチ１１が解放されると、試験選択スイッチ１１は、電源ＶＤＤからプルアップ抵抗Ｒ２（１７）を介して、Ｈｉｇｈ（ハイ）レベルの信号をＮＡＮＤ回路１２へ送る。
【００４７】
インバータ１５は、制御部３から、同期エラー表示を示すＬｏｗ（ロー）レベルのＳＹＡＡＬ信号を受けると、このＬｏｗ（ロー）レベルのＳＹＡＡＬ信号を反転してＨｉｇｈ（ハイ）レベルの信号を得、このＨｉｇｈ（ハイ）レベルの信号をＮＡＮＤ回路１２に送る。
【００４８】
ＮＡＮＤ回路１２は、試験選択スイッチ１１からＨｉｇｈ（ハイ）レベルの信号と、インバータ１５から、同期エラー表示を示すＨｉｇｈ（ハイ）レベルの信号とを受けると、ＮＡＮＤ演算を行いＬｏｗ（ロー）レベルの信号を出力し、このＬｏｗ（ロー）レベルの信号をＯＲ回路１３に送る。つまり、ＮＡＮＤ回路１２は、選択スイッチ１１が解放されるときのみ、同期エラー表示を示すＬｏｗ（ロー）レベルのＳＹＡＡＬ信号を取り込み、ＯＲ回路１３に送る。
【００４９】
フレームカウンタ５は、フレームを計数し、計数値が１５９（フレーム番号１６０）ときのみ、Ｌｏｗ（ロー）レベルの空フレーム時間位置信号ＦＣＮ１５９を出力し、このＬｏｗ（ロー）レベルの空フレーム時間位置信号ＦＣＮ１５９を試験結果選択出力装置１００のＯＲ回路１３へ送る。
【００５０】
ＯＲ回路１３は、ＮＡＮＤ回路１２からのＬｏｗ（ロー）レベルの信号とフレームカウンタ５からのＬｏｗ（ロー）レベルの空フレーム時間位置信号ＦＣＮ１５９とから論理和をとり、Ｌｏｗ（ロー）レベルの信号を出力し、このＬｏｗ（ロー）レベルの信号をＡＮＤ回路１４に送る。これにより、ＯＲ回路１３は、フレームカウンタ５の計数値が１５９（１６０番フレームを意味する）時のみ、Ｌｏｗ（ロー）レベルを出力する。つまり、空フレーム時間位置に同期エラー表示を示すＬｏｗ（ロー）レベルのＳＹＡＡＬ信号が配置されることになる。
【００５１】
ＡＮＤ回路１４は、ＣＯＤ信号多重化回路５からの、空フレームを含む多重符号化信号とＯＲ回路からの出力との論理積をとる。これにより、図３に示すように、１６０番フレームの全てのビットＳＹＡＬ（８ビット）がＬｏｗ（ロー）レベルとなり、１６０番フレームに同期エラー表示情報が選択して挿入されたことになる。そして、ＡＮＤ回路１４は、同期エラー表示情報が選択して挿入された１６０番フレームを含めた３２０フレームよりなる下り多重符号化信号を無線基地局へ送る。
【００５２】
実際の運用状態においては、試験選択スイッチ１１が閉成されるので、試験選択スイッチ１１は、Ｌｏｗ（ロー）レベルの信号を生成し、このＬｏｗ（ロー）レベルの信号をＮＡＮＤ回路１２へ送る。
【００５３】
ＮＡＮＤ回路１２は、このＬｏｗ（ロー）レベルの信号の入力により、制御部３からのＳＹＡＡＬ信号の論理レベルに係わらず、常にＨｉｇｈ（ハイ）レベルの信号を出力する。よって、下り多重符号化信号の１６０番フレームの全てのビットＳＹＡＬ（８ビット）は予備のＨｉｇｈ（ハイ）レベルをとる。
【００５４】
【発明の効果】
以上説明したように、本発明は、試験評価時に試験選択スイッチにより選択して、アラーム表示制御情報を空きフレームに挿入するよう構成されているので、このアラーム表示制御情報と期待値データとの比較を自動で連続評価でき、アラーム表示の目視確認は不要となり、評価時間の短縮と評価信頼性の向上をはかれるという効果を得ることができる。
【図面の簡単な説明】
【図１】本発明の実施形態による音声処理装置の構成ブロック図である。
【図２】１２チャネル多重符号化信号のフレーム構成を示す図である。
【図３】１２チャネル多重符号化信号のフレーム構成の詳細図である。
【図４】試験結果選択出力装置の論理波形図である。
【図５】従来の試験システムの構成ブロック図である。
【図１】
0003624858.tif 000002
【図２】
0003624858.tif 000003
【図３】
0003624858.tif 000004
【図４】
0003624858.tif 000005
【図５】
0003624858.tif 000006